(57)【要約】【課題】ＶＰＬＭＮに属するセルに在圏時においてＨＰＬＭＮまたはＥＨＰＬＭＮに属するセルへの切替える時間を短縮することを課題とする。【解決手段】携帯電話は、ローミング先の公衆移動通信網に属する第１セルに在圏する状態で、契約先または契約先と等価な公衆移動通信網に属する第２セルを検出する。携帯電話は、ローミング先および契約先によって運営され、ローミング先の公衆移動通信網と、契約先の公衆移動通信網または契約先と等価な公衆移動通信網とに属する共有セルが検出された場合に、共有セルの無線品質値が、第１の所定値より上回り第２の所定値より以下か否かを判定する。携帯電話は、在圏する第１セルの無線品質値が第１の所定値以下になってから所定時間経過した後に圏外を確定させる。携帯電話は、共有セルの無線品質値が第１の所定値より上回り第２の所定値以下と判定された場合に、圏外が確定される前に、共有セルを切替対象に選択する。【選択図】図４
2014017676.tif 000002
【特許請求の範囲】
【請求項１】
ローミング先の公衆移動通信網に属する第１セルに在圏する状態で、契約先の公衆移動通信網または契約先と等価な公衆移動通信網に属する第２セルを検出する検出部と、
前記ローミング先および前記契約先によって運営され、前記ローミング先の公衆移動通信網と、前記契約先の公衆移動通信網または契約先と等価な公衆移動通信網とに属する共有セルが前記検出部によって検出された場合に、前記共有セルの無線品質値が、第１の所定値より上回り第２の所定値以下か否かを判定する判定部と、
在圏する第１セルの無線品質値が前記第１の所定値以下になってから所定時間経過した後に圏外を確定させる圏外制御部と、
前記判定部によって前記共有セルの無線品質値が第１の所定値より上回り第２の所定値以下と判定された場合に、前記圏外制御部によって圏外が確定される前に、前記共有セルを切替対象に選択する選択部と
を有することを特徴とする移動体装置。
【請求項２】
前記判定部は、前記圏外制御部が圏外を確定させる前記所定時間よりも短いタイマ値を前記第１セルに設置される基地局から受信し、前記圏外制御部によって圏外に遷移したことが検出されてから前記タイマ値を起動し、タイマ起動期間、前記第１セルの無線品質値が前記第１の所定値以下になっているか否か、また、前記共有セルの無線品質値が、前記第１の所定値より上回っているか否かをさらに継続的に判定し、
前記タイマ値経過後に、前記第１セルの無線品質値が前記第１の所定値以下になっており、前記共有セルの無線品質値が、前記第１の所定値より上回っていると判定された場合に、前記共有セルを切替対象に選択することを特徴とする請求項１に記載の移動体装置。
【請求項３】
前記判定部は、前記タイマ起動期間、前記第１セルの無線品質値が前記第１の所定値より上回っていると判定された場合であっても、前記共有セルの無線品質値が、前記第１セルの無線品質値よりもよい値であるか否かをさらに継続的に判定し、
前記選択部は、前記判定部によって、前記タイマ値経過後の前記共有セルの無線品質値が前記第１セルの無線品質値よりもよい値であるとさらに判定された場合に、前記共有セルを切替対象に選択することを特徴とする請求項２に記載の移動体装置。
【請求項４】
前記判定部は、前記共有セルが、前記検出部によって検出された同じ周波数配下のセルのうち最も無線品質値の良いセルである場合に、前記共有セルの無線品質値が前記第１の所定値より上回り前記第２の所定値より以下か否かを判定することを特徴とする請求項１から３のいずれか一つに記載の移動体装置。
【請求項５】
前記選択部によって選択された前記共有セルに設置される基地局から受信した報知情報に、前記契約先の公衆移動通信網または契約先と等価な公衆移動通信網の情報が含まれている場合には、含まれている前記契約先の公衆移動通信網または契約先と等価な公衆移動通信網に接続を切替え、含まれていない場合には、前記ローミング先の公衆移動通信網への接続を維持する切替部をさらに有することを特徴とする請求項１から４のいずれか一つに記載の移動体装置。
【請求項６】
移動体装置が、
ローミング先の公衆移動通信網に属する第１セルに在圏する状態で、契約先の公衆移動通信網または契約先と等価な公衆移動通信網に属する第２セルを検出し、
前記ローミング先および前記契約先によって運営され、前記ローミング先の公衆移動通信網と、前記契約先の公衆移動通信網または契約先と等価な公衆移動通信網とに属する共有セルを検出した場合に、前記共有セルの無線品質値が、第１の所定値より上回り第２の所定値より以下か否かを判定し、
前記共有セルの無線品質値が第１の所定値より上回り第２の所定値以下と判定した場合に、在圏する第１セルの無線品質値が前記第１の所定値以下になってから所定時間経過した後に圏外を確定させる前に、前記共有セルを切替対象に選択する
各処理を含んだことを特徴とするセル選択方法。
【発明の詳細な説明】
【技術分野】
【０００１】
本発明は、移動体装置およびセル選択方法に関する。
【背景技術】
【０００２】
近年、第３世代携帯電話規格の標準化団体である３ＧＰＰ（3rd  Generation  Partnership  Project）では、高速な通信を可能にするＬＴＥ（Long  Term  Evolution）の研究や改善が進んでいる。
【０００３】
携帯電話は、ローミング先のネットワークとなるＶＰＬＭＮ（Visited  PLMN）に属するセルに在圏時に、契約先のネットワークとなるＨＰＬＭＮ（Home  PLMN）または契約先と等価なネットワークとなるＥＨＰＬＭＮ（Equivalent  HPLMN）に属するセルを優先的に選択するため、リリース８以降のＬＴＥの３ＧＰＰ規定として、「Higher  priority  PLMN（公衆移動通信網：Public  Land  Mobile  Network）  search機能」を実施し、ＨＰＬＭＮまたはＥＨＰＬＭＮを定期的に検索することが規定されている。
【０００４】
Higher  priority  PLMN  search機能により検出したＨＰＬＭＮまたはＥＨＰＬＭＮに属するセルを選択した直後に選択したセルの無線品質が劣化した場合、ＶＰＬＭＮに属するセルを再選択するセルのPing−Pong現象が発生する。このセルのPing−Pong現象を抑止するため、ＶＰＬＭＮに属するセルに在圏時におけるＨＰＬＭＮまたはＥＨＰＬＭＮに属するセルを選択可能とする条件として、３ＧＰＰのＴＳ３６．３０４に規定されたＳ値（SrxlevとSqual）の判定式に、Offset（QrxminoffsetとQqaulminoffset）を適用することを推奨する規定が３ＧＰＰのＴＳ３６．３０４にされている。なお、携帯電話は、ＶＰＬＭＮに属するセルから報知されたOffset（QrxminoffsetとQqaulminoffset）を適用する。
【先行技術文献】
【特許文献】
【０００５】
【特許文献１】特開２００１−２１１１８４号公報
【特許文献２】特開２０１１−１９９３９０号公報
【特許文献３】特表２００８−５４３１３６号公報
【発明の概要】
【発明が解決しようとする課題】
【０００６】
しかしながら、従来技術では、ＶＰＬＭＮに属するセルに在圏時においてＨＰＬＭＮまたはＥＨＰＬＭＮに属するセルへの切替えに時間がかかるという問題がある。
【０００７】
図９を用いて具体的に説明する。図９は、従来のセル選択を説明する図である。図９に示すように、携帯電話が在圏するＶＰＬＭＮのセルは、時間経過とともに無線品質が劣化している状態である。一方で、携帯電話が在圏するＶＰＬＭＮのセルに隣接するネットワークシェアリングセルの無線品質は、時間経過とともに向上している。このネットワークシェアリングセルは、ＨＰＬＭＮまたはＥＨＰＬＭＮとＶＰＬＭＮとが混在しているセルである。また、携帯電話は、ＶＰＬＭＮのセルに在圏していることから、周期Ｔ１でHigher  priority  PLMN  searchを定期的に実行し、ＨＰＬＭＮまたはＥＨＰＬＭＮのセルを検索する。
【０００８】
このような状態において、携帯電話は、Ｓ値とOffset（QrxminoffsetとQqaulminoffset）を考慮したＳ´値に基づいて、セルの選択可否を判定する。Ｓ値は、「Srxlev＝Qrxlevmeas−Qrxlevmin−Pcompensation、Squal＝Qqualmeas−Qqualmin」で算出され、Ｓ´値は、「Srxlev＝Qrxlevmeas−（Qrxlevmin＋Qrxlevminoffset）−Pcompensation、Squal＝Qqualmeas−（Qqualmin＋Qqualminoffset）」で算出される。
【０００９】
携帯電話は、最初の周期Ｔ１が開始されると、サーチ期間Ｐ１内でネットワークシェアリングセルＡを検出するが、在圏するセルの無線品質がＳ値を満たし、検出されたセルＡの無線品質がＳ´値を満たさないことから、切り替え対象外と判定する。
【００１０】
その後、最初の周期Ｔ１経過後の時刻ｔ０で、在圏セルの無線品質がＳ値を満たさなくなる。この結果、携帯電話では、３ＧＰＰのＴＳ３６．１３３に規定される圏外状態を確定するタイマＴ２を起動する。また、携帯電話は、周期Ｔ１が満了した際にHigher  priority  PLMN  searchを実行し、サーチ期間Ｐ２内でネットワークシェアリングセルＡを再び検出するが、タイマＴ２が起動中で圏外状態が確定しておらず、またセルＡの無線品質がＳ´値を満たさないことから、切り替え対象外と判定する。
【００１１】
その後、タイマＴ２が満了すると、携帯電話は、圏外状態に移行するため、次の周期Ｔ１タイマ満了前であっても、在圏可能なセルの検索を開始する。そして、携帯電話は、在圏可能なセルの検索を開始してから時間Ｔ３経過後に、ネットワークシェアリングセルＡを再び検出する。圏外状態において、携帯電話は、セルＡの無線品質がＳ´値を満たさないがＳ値を満たすため、ネットワークシェアリングセルＡを在圏可能なセルとして選択する。この結果、携帯電話は、ネットワークシェアリングセルＡに在圏し、無線通信が可能な状態を継続する。
【００１２】
このように、従来技術では、携帯電話は、ＶＰＬＭＮに属する在圏セルの無線品質が劣化しＳ値を満たさない状態において、Higher  priority  PLMN  search機能によりセル選択を可能とするＳ値を満たしたＨＰＬＭＮまたはＥＨＰＬＭＮに属するネットワークシェアリングセルを検出したとしても、検出したセルがＳ´値を満たさない場合には、圏外状態が確定するタイマＴ２が満了するまでの期間、検出したセルを選択することができない。このため、携帯電話は、タイマＴ２が満了し圏外状態が確定した後、更に在圏可能なセルの再検索をする必要があるため、セルを切替えるまでに時間を要し、結果として無線通信が不可能な時間が長くなる。
【００１３】
開示の技術は、上記を鑑みてなされたものであって、ＶＰＬＭＮに属するセルに在圏時においてＨＰＬＭＮまたはＥＨＰＬＭＮに属するセルへのセルを切替える時間を短縮することができる移動体装置およびセル選択方法を提供することを目的とする。
【課題を解決するための手段】
【００１４】
本願の開示する移動体装置およびセル選択方法は、一つの態様において、ローミング先の公衆移動通信網に属する第１セルに在圏する状態で、契約先の公衆移動通信網または契約先と等価な公衆移動通信網に属する第２セルを検出する検出部を有する。前記第２セルに該当する、前記ローミング先および前記契約先によって運営される共有セルが前記検出部によって検出された場合に、前記共有セルの無線品質値が、第１の所定値より上回り第２の所定値以下か否かを判定する判定部を有する。在圏する第１セルの無線品質値が前記第１の所定値以下になってから所定時間経過した後に圏外を確定させる圏外制御部を有する。前記判定部によって前記共有セルの無線品質値が第１の所定値より上回り第２の所定値以下と判定された場合に、前記圏外制御部によって圏外が確定される前に、前記共有セルを切替対象として選択する選択部を有する。
【発明の効果】
【００１５】
本願の開示する移動体装置およびセル選択方法の一つの態様によれば、ＶＰＬＭＮに属するセルに在圏時においてＨＰＬＭＮまたはＥＨＰＬＭＮに属するセルへの切替えの時間を短縮することができるという効果を奏する。
【図面の簡単な説明】
【００１６】
【図１】図１は、無線通信システムのネットワーク構成例を示す図である。
【図２】図２は、セルの移動を説明する図である。
【図３】図３は、携帯電話のハードウェア構成例を示す図である。
【図４】図４は、携帯電話の機能構成を示す機能ブロック図である。
【図５】図５は、携帯電話におけるセル選択処理の流れを示す処理シーケンス図である。
【図６】図６は、携帯電話におけるセル選択処理の流れを示す処理シーケンス図である。
【図７】図７は、携帯電話におけるセル選択処理の流れを示す処理シーケンス図である。
【図８】図８は、セル選択の具体例を説明する図である。
【図９】図９は、従来のセル選択を説明する図である。
【発明を実施するための形態】
【００１７】
以下に、本願の開示する移動体装置およびセル選択方法の実施例を図面に基づいて詳細に説明する。なお、この実施例によりこの発明が限定されるものではない。
【実施例１】
【００１８】
［ネットワーク構成］
図１は、無線通信システムのネットワーク構成例を示す図である。図１に示すように、ＶＰＬＭＮと、ＨＰＬＭＮまたはＥＨＰＬＭＮとに属するセルＡ群と、ＶＰＬＭＮに属するセルＢ群と、ＨＰＬＭＮまたはＥＨＰＬＭＮに属するセルＣ群とを有する。また、セルＡ群の各セルは、複数のネットワークオペレータが共有して運用するネットワークシェアリングセル（以下、セルＡと表記する場合がある）である。
【００１９】
ネットワークシェアリングセルは、基地局の設備投資コストや運用コストを考慮したうえで、収容されるユーザが少なくてもよい過疎地域や異なる国を跨いだ国境地域などで運用される。このような場合、図１に示すように、様々なＰＬＭＮに属するセルが混在するネットワーク環境が発生する場合がある。
【００２０】
このようなネットワーク環境において、ＶＰＬＭＮに属するセルＢ内に存圏する携帯電話が、ＶＰＬＭＮと、ＨＰＬＭＮまたはＥＨＰＬＭＮとに属するネットワークシェアリングセルに移動する場合を想定する。図２は、セルの移動を説明する図である。図２に示すように、携帯電話がセルＢのＢ１からセルＡのＡ１に移動する際に、セルの再選択が発生する。
【００２１】
携帯電話は、セル再選択時にセルＡを検出した場合でも、ネットワークの状況によっては、セルＡを選択するまでに多くの時間を有し、圏外の時間が長くなる場合がある。ここでは、このような場合が発生するネットワークの状況を説明する。なお、本実施例では、一例として、以下に示す状況１、２、３、４、５の全て満たすネットワーク状況を想定する。
【００２２】
（状況１）携帯電話がローミング契約先のネットワークとなるＶＰＬＭＮのみに属するセルに在圏している。例えば、図２に示すように、携帯電話がセルＢに在圏している場合である。
【００２３】
（状況２）ＶＰＬＭＮのみに属する在圏セルの無線品質が劣化しＳ値を満たさない。例えば、在圏セルＢの無線品質が劣化し「Srxlev＝Qrxlevmeas−Qrxlevmin−Pcompensation≦０」または「Squal＝Qqualmeas−Qqualmin≦０」を満たす場合である。なお、QrxlevminならびにQqualminはセルＢの基地局が送信した報知情報から取得した値を適用し、PcompensationはセルＢの基地局が送信した報知情報から取得したパラメータＰＥＭＡＸを使用し算出した値を適用する。また、Qrxlevmeasは、受信電力測定値（RSRP：Reference  Signal  Received  Power）に該当し、Qqualmeasは、信号品質（RSRQ：Reference  Signal  Received  Quality）に該当する。なお、QrxlevmeasとQqualmeasとは、携帯電話が在圏セルＢの無線品質を測定した値となる。これらの規定は３ＧＰＰのＴＳ３６．３０４に準拠する。
【００２４】
（状況３）ＶＰＬＭＮと、ＨＰＬＭＮまたはＥＨＰＬＭＮとが混在しているネットワークシェアリングセルが、ローミング先のネットワークとなるＶＰＬＭＮのみに属するセルの周辺に存在する。例えば、図２に示すように、携帯電話が在圏するセルＢの周辺にセルＡが存在する場合である。
【００２５】
（状況４）ネットワークシェアリングセルが在圏セルとIntra  Frequency（同一周波数）のセルでない、もしくはInter  Frequency（異なる周波数）のEqual  Priorityに属するセルでない。例えば、セルＡがセルＢと同一周波数ではない、または、異なる周波数でかつ等価なセルではない。
【００２６】
携帯電話は、在圏セルの無線品質が劣化しつつある状態を事前に検出した時点で、同一周波数ならびに異なる周波数のEqual  Priorityに属する周辺セルを継続的に測定する。そして、携帯電話は、同一周波数ならびに異なる周波数のEqual  Priorityに属する周辺セルの無線品質が在圏セルより良好な状態をTreselectionタイマの間維持した場合、該当の周辺セルにセル再選択を行う動作となる。このため、上述したような圏外の時間が長くなることは発生しない。なお、同一周波数ならびに異なる周波数のEqual  Priorityに属する周辺セルに関するセル再選択基準の条件については、３ＧＰＰのＴＳ３６．３０４に規定されている。
【００２７】
３ＧＰＰのＴＳ３６．３０４には、在圏セルの無線品質に応じて同一周波数や異なる周波数に対して測定を行うかどうかについて規定がされている。携帯電話は、在圏セルが状況２を満たす場合には、Higher  Priorityの異なる周波数の測定に加え、同一周波数やEqualならびにLower  Priorityの異なる周波数に対して測定を行っている。具体的には、携帯電話は、在圏セルの無線品質が劣化し以下の状況（４−１）を満たさない場合、同一周波数に対する測定を開始する。また、携帯電話は、在圏セルの無線品質が劣化し以下の状況（４−２）を満たさない場合、EqualおよびLower  Priorityの異なる周波数に対する測定を開始する。一方、携帯電話は、在圏セルの無線品質が良好で以下の状況（４−１）を満たす場合に同一周波数に対して測定を停止する。また、携帯電話は、在圏セルの無線品質が良好で以下の状況（４−２）を満たす場合、EqualおよびLower  Priorityの異なる周波数に対して測定を停止する。
【００２８】
「状況４−１：Srxlev＞SIntraSearchP  and  Squal＞SIntraSearchQ（SIntraSearchPおよびSIntraSearchQの最下値は0（dB）））」
「状況４−２：Srxlev＞SnonIntraSearchP  and  Squal＞SnonIntraSearchQ（SIntraSearchPおよびSIntraSearchQの最下値は0（dB）））」
【００２９】
（状況５）状況３を満たすネットワークシェアリングセルの無線品質が状況５−１および状況５−２の両条件を満たす。例えば、図２に示すセルＡが、状況５−１および状況５−２の両条件を満たす場合である。
【００３０】
（状況５−１）状況３を満たすネットワークシェアリングセルＡが在圏セルであるセルＢより「Higher  Priority」のセルであり、セルＡの無線品質値が下記条件式を満たす、すなわち、３ＧＰＰのＴＳ３６．３０４に規定されているセル再選択候補の条件を満たさない。セルＢがRSRP  basedのセル再選択基準を適用して運用している場合には、条件式１を満たす場合が該当する。また、セルＢがRSRQ  basedのセル再選択基準を適用して運用している場合には、条件式２を満たす場合が該当する。
【００３１】
「条件式１：Srxlev＝Qrxlevmeas−Qrxlevmin≦ThreshX，HighP」
「条件式２：Squal＝Qqualmeas−Qqualmin≦ThreshX，HighQ」
【００３２】
または、状況３を満たすネットワークシェアリングセルＡが在圏セルであるセルＢより「Lower  Priority」のセルであり、セルＡの無線品質値が下記条件式を満たす、すなわち、３ＧＰＰのＴＳ３６．３０４に規定されているセル再選択候補の条件を満たさない。セルＢがRSRP  basedのセル再選択基準を適用して運用している場合には、条件式３を満たす場合が該当する。また、セルＢがRSRQ  basedのセル再選択基準を適用して運用している場合には、条件式４を満たす場合が該当する。
【００３３】
「条件式３：Srxlev＝Qrxlevmeas−Qrxlevmin≦ThreshX，LowP」
「条件式４：Squal＝Qqualmeas−Qqualmin≦ThreshX，LowQ」
【００３４】
なお、Qrxlevmin、Qqualmin、ThreshX，HighP、ThreshX，Highq、ThreshX，LowP、ThreshX，LowQには、在圏セルＢの報知情報から取得した値を適用する。ＶＰＬＭＮのみに属する在圏セルＢの報知情報には、セル再選択可能なセルの周波数（EARFCN）が設定される。従って、ＶＰＬＭＮと、ＨＰＬＭＮまたはＥＨＰＬＭＮとが混在しているネットワークシェアリングセルは同一のＶＰＬＭＮが含まれるため、セル再選択の対象セルとなり、在圏セルＢの報知情報にはセル再選択可能なセルとしてセルＡの周波数（EARFCN）が設定される。QrxlevmeasとQqualmeasとは、携帯電話が再選択対象のネットワークシェアリングセル、すなわちセルＡの無線品質を測定した値となる。また、Qrxlevmeasは、RSRPに該当し、Qqualmeasは、RSRQに該当する。ネットワークシェアリングセルがHigher  Priority、Equal  PriorityまたはLower  Priorityのいずれに属するセルかどうか、また、RSRPもしくはRSRQ  basedのいずれのセル再選択基準を適用するかについては、３ＧＰＰのＴＳ３６．３０４の規定に従い動作するものとする。
【００３５】
（状況５−２）状況３を満たすネットワークシェアリングセル、すなわちセルＡの無線品質値が下記条件式５を満たす。すなわち、セルＡの無線品質値が前記Ｓ値を満たすがＳ値にオフセットを加えたＳ´値を満たさない。なお、下記式のQrxlevmin、Qqualmin、ThreshX，HighP、ThreshX，Highq、ThreshX，LowP、ThreshX，LowQ、Qrxlevminoffset、Qqualminoffsetには、在圏セルＢの報知情報から取得した値を適用し、PcompensationはセルＢの基地局が送信した報知情報から取得した情報使用し算出した値を適用する。QrxlevmeasとQqualmeasとは、携帯電話がセル再選択対象のネットワークシェアリングセル、すなわちセルＡの無線品質を測定した値となる。また、Qrxlevmeasは、RSRPに該当し、Qqualmeasは、RSRQに該当する。
【００３６】
「条件式５：Srxlev＝Qrxlevmeas−Qrxlevmin−Pcompensation＞0、かつ、Squal＝Qqualmeas−Qqualmin＞0」、かつ、「Srxlev＝Qrxlevmeas−（Qrxlevmin＋Qrxlevminoffset）−Pcompensation≦0、もしくは、Squal＝Qqualmeas−（Qqualmin＋Qqualminoffset）≦0」
【００３７】
上述した状況を満たすネットワーク環境において、携帯電話は、ＶＰＬＭＮに属する第１セルに接続される状態で、ＨＰＬＭＮまたはＥＨＰＬＭＮに属する第２セルを検出する。そして、携帯電話は、ＶＰＬＭＮと、ＨＰＬＭＮまたはＥＨＰＬＭＮとに属するネットワークシェアリングセルが検出された場合に、ネットワークシェアリングセルの無線品質値がＳ値より上回り、Ｓ値にオフセットを加えたＳ´値以下か否かを判定する。その後、携帯電話は、検出されたネットワークシェアリングセルの無線品質値がＳ値より上回りＳ´値以下と判定された場合に、在圏セルの無線品質がＳ値以下となり圏外が確定する前に、ネットワークシェアリングセルを切替対象に選択する。
【００３８】
このように、携帯電話は、ＶＰＬＭＮ在圏時に、ＶＰＬＭＮと、ＨＰＬＭＮまたはＥＨＰＬＭＮとに属する共有セルを検出した場合、共有セルの品質がＳ値にオフセットを考慮したＳ´値を満たさなくともＳ値を満たせば、圏外になる前に切替先に選択する。この結果、セル切替えの時間を短縮する。
【００３９】
［ハードウェア構成］
図３は、携帯電話のハードウェア構成例を示す図である。図３に示すように、携帯電話１０は、アンテナ１０ａ、ＲＦ（Radio  Frequency）回路１０ｂ、表示装置１０ｃ、メモリ１０ｄ、コミュニケーションＣＰＵ（Central  Processing  Unit）１０ｅ、アプリケーションＣＰＵ１０ｆを有する。
【００４０】
ＲＦ回路１０ｂは、アンテナ１０ａを介して電波の受信や送信を実行する回路であり、デジタル／アナログ変換、ダウンコンバート、アップコンバートなど、受信処理または送信処理に関する各種処理を実行する。表示装置１０ｃは、コミュニケーションＣＰＵ１０ｅやアプリケーションＣＰＵ１０ｆの指示にしたがって、各種情報を表示するディスプレイである。
【００４１】
メモリ１０ｄは、後述する各種タイマ値、報知情報から取得された各種値等を記憶する。コミュニケーションＣＰＵ１０ｅは、無線通信に関する各種処理を実行するプロセッサである。アプリケーションＣＰＵ１０ｆは、アプリケーションに関する各種処理を実行するプロセッサである。
【００４２】
［機能構成］
図４は、携帯電話の機能構成を示す機能ブロック図である。図４に示すように、携帯電話１０は、ＲＦ処理部１１、ＢＢ（Base  Band）処理部１２、ＭＡＣ（Medium  Access  Control）処理部１３、ＲＬＣ（Radio  Link  Control）処理部１４を有する。さらに、携帯電話１０は、ＰＤＣＰ（Packet  Data  Coverage  Protocol）処理部１５、ＲＲＣ（Radio  Resource  Control）処理部１６、ＮＡＳ（Non  Access  Stratum）処理部１７を有する。なお、ＲＦ処理部１１は、図３に示したＲＦ回路１０ｂによって実現される。ＢＢ処理部１２、ＭＡＣ処理部１３、ＲＬＣ処理部１４、ＰＤＣＰ処理部１５、ＲＲＣ処理部１６、ＮＡＳ処理部１７は、図３に示したコミュニケーションＣＰＵ１０ｅによって実現される。
【００４３】
ＲＦ処理部１１は、アンテナを介して受信した信号に受信処理を実行し、アンテナを介して送信する信号に送信処理を実行する処理部である。具体的には、ＲＦ処理部１１は、ＬＴＥ（Long  Term  Evolution）のRadio  Frequency処理を実行する。一例を挙げると、ＲＦ処理部１１は、ダウンコンバート、アナログ／デジタル変換等を実行して、ＢＢ処理部１２に出力する。また、ＲＦ処理部１１は、ＢＢ処理部１２から入力された信号に対して、デジタル／アナログ変換、アップコンバート等を実行して、アンテナを介して送信する。
【００４４】
ＢＢ処理部１２は、送信信号や受信信号に対してベースバンド処理を実行する処理部である。具体的には、ＢＢ処理部１２は、ＬＴＥのBase  Band処理を実行する。一例を挙げると、ＢＢ処理部１２は、ＭＡＣ処理部１３やＲＲＣ処理部１６から入力された送信信号に対して、変調処理等を実行してＲＦ処理部１１に出力する。また、ＢＢ処理部１２は、ＲＦ処理部１１から入力された受信信号に対して、復調処理等を実行して、ＭＡＣ処理部１３やＲＲＣ処理部１６に出力する。
【００４５】
ＭＡＣ処理部１３は、ＭＡＣレイヤ間のデータ転送、誤り検出、再送制御等を実行する処理部である。具体的には、ＭＡＣ処理部１３は、ＢＢ処理部１２、ＲＬＣ処理部１４、ＲＲＣ処理部１６各々とデータの送受信を実行し、当該データに対して、３ＧＰＰのＴＳ３６．３２１に規定された、レイヤ２の各種処理を実行する。一例を挙げると、ＭＡＣ処理部１３は、ＨＡＲＱ処理、scheduling  information  reporting、scheduling  Transport  channelとlogical  channelのマッピングなどを実行する。
【００４６】
ＲＬＣ処理部１４は、上位レイヤ間データ転送や、基地局と携帯電話１０との間の回線確立などを実行する処理部である。具体的には、ＲＬＣ処理部１４は、ＭＡＣ処理部１３、ＰＤＣＰ処理部１５、ＲＲＣ処理部１６各々とデータの送受信を実行し、当該データに対して、３ＧＰＰのＴＳ３６．３２２に規定されたレイヤ２の各種処理を実行する。一例を挙げると、ＲＬＣ処理部１４は、ＡＲＱ処理などを実行する。
【００４７】
ＰＤＣＰ処理部１５は、ヘッダ圧縮や暗号化処理などを実行する処理部である。例えば、ＰＤＣＰ処理部１５は、ＲＬＣ処理部１４やＲＲＣ処理部１６とデータの送受信を実行し、３ＧＰＰのＴＳ３６．３２３に規定された処理を実行する。
【００４８】
ＲＲＣ処理部１６は、検出部１６ａ、判定部１６ｂ、圏外制御部１６ｃ、切替部１６ｄを有し、これらによってセル再選択を実行する処理部である。このＲＲＣ処理部１６は、３ＧＰＰのＴＳ３６．３０４やＴＳ３６．３３１などに規定された処理を実行する。一例を挙げると、ＲＲＣ処理部１６は、ブロードキャスト、ページング、ＲＲＣコネクション管理、ＲＢ制御、移動管理、測定結果報告などを実行する。
【００４９】
例えば、ＮＡＳ処理部１７は、携帯電話１０がＶＰＬＭＮに在圏している間、予め指定された所定の間隔で、Higher  priority  PLMN  searchを実行して、ＨＰＬＭＮまたはＥＨＰＬＭＮに属するセルの検出をＲＲＣ処理部１６に対して指示し、検出部１６ａはＨＰＬＭＮまたはＥＨＰＬＭＮに属するセルの検索を実行する。そして、検出部１６ａは、検出したセルの周波数（EARFCN）、物理セルＩＤ、ＲＳＲＰ値ならびにＲＳＲＱ値を判定部１６ｂに通知する。また、検出部１６ａは、ＮＡＳ処理部１７等から指示された契機以外でも、在圏セルＢの報知情報に設定されたセル再選択用途で通知されたに周辺セルの周波数（EARFCN）情報を使用し、その周波数（EARFCN）配下のセルを検出し、周波数（EARFCN）、物理セルＩＤ、ＲＳＲＰ値ならびにＲＳＲＱ値を判定部１６ｂに通知する。
【００５０】
判定部１６ｂは、検出部１６ａがHigher  priority  PLMN  searchの契機により検出したセルの周波数（EARFCN）、物理セルＩＤ、ＲＳＲＰ値ならびにＲＳＲＱ値を通知してきた場合、そのセルのＳならびにＳ´値の判定を実行する。すなわち、判定部１６ｂは、ネットワークシェアリングセルＡの無線品質値が、Ｓ値より上回りＳ´値以下か否かを判定する。例えば、判定部１６ｂは、検出部１６ａによって検出されたセルＡのＲＳＲＰ値とＲＳＲＱ値とを取得し、上述した状況５−２の各条件式を満たすか否かを判定する。そして、判定部１６ｂは、セルＡの状況５−２の各条件式を満たす場合、セルＡの報知情報を取得し、セルＡがＨＰＬＭＮまたはＥＨＰＬＭＮに属するセルの場合、セルＡの周波数（EARFCN）と物理セルＩＤを保持する。検出部１６ａがHigher  priority  PLMN  search以外の契機により検出したセルの周波数（EARFCN）と物理セルＩＤが、保持した周波数（EARFCN）と物理セルＩＤと合致する場合、判定部１６ｂはそのセルから報知情報の再取得処理を行わず、ＨＰＬＭＮまたはＥＨＰＬＭＮに属するセルとして処理を行う。
【００５１】
さらに、判定部１６ｂは、圏外制御部１６ｃによって携帯電話１０が在圏セルＢの無線品質値がＳ値を満たさない状態になった場合、圏外が確定されるまでに、保持していたセルＡの無線品質値がＳ値を満たすか否かを判定する。具体的には、判定部１６ｂは、圏外制御部１６ｃが圏外を確定させる時間よりも短いタイマ値（Ｔ４）をＶＰＬＭＮのセルＢから受信し、メモリ等に記憶させておく。そして、判定部１６ｂは、圏外制御部１６ｃによって在圏セルＢの無線品質がＳ値を満たさない状態に遷移したことが検出されると、タイマ（Ｔ４）を起動させて、メモリ等に格納したタイマ値（Ｔ４）を監視する。その後、判定部１６ｂは、タイマ値（Ｔ４）の期間に、在圏セルＢがＳ値を満たさない状態でセルＡの無線品質値がＳ値を満たすか否かを継続して判定する。タイマ値（Ｔ４）経過後、在圏セルＢがＳ値を満たさない状態でセルＡの無線品質値がＳ値を満たす場合、判定部１６ｂは、セルＡを選択しセルＡの報知情報から取得したPLMN情報をＮＡＳ処理部１７に通知する。
【００５２】
また、判定部１６ｂは、タイマ値（Ｔ４）の期間、セルＡの無線品質値が、在圏セルＢの無線品質値よりも良いか否かをさらに判定してもよい。この場合、判定部１６ｂは、タイマ値（Ｔ４）経過後までセルＡの無線品質値がＳ値を満たし、かつ、在圏セルＢの無線品質値よりもよい場合に、セルＡを選択しセルＡの報知情報から取得したPLMN関連情報をＮＡＳ処理部１７に通知する。また、判定部１６ｂは、タイマ値（Ｔ４）の期間、セルＡの無線品質値がＳ´値を満たした場合、タイマ値（Ｔ４）の満了を待たずセルＡを選択してもよい、その際、セルＡの報知情報から取得したPLMN関連情報をＮＡＳ処理部１７に通知する。
【００５３】
なお、判定部１６ｂは、検出部１６ａによって検出されたネットワークシェアリングセルＡが、検出部１６ａが検出した同じ周波数（EARFCN）配下のセルのうち、最も良い品質である場合に、上述した状況５−２の各条件式を満たすか否かを判定することもできる。なお、セルＡの品質が最もよいか否かの判定には、RSRP値を用いることができる。
【００５４】
圏外制御部１６ｃは、在圏するセルの無線品質値がＳ値以下になってから所定時間経過した後に圏外を確定させる処理部である。例えば、圏外制御部１６ｃは、在圏セルすなわちセルＢの無線品質値がＳ値以下になったことを検出すると判定部１６ｂに通知する。また、圏外制御部１６ｃは、圏外を確定させるためのタイマを起動させて、タイマ値（Ｔ２）を監視する。そして、圏外制御部１６ｃは、タイマ（Ｔ２）の起動期間、セルＢの無線品質値が継続してＳ値を満たさないと判定した場合に、圏外に移動したと確定する。なお、タイマ値（Ｔ２）は、３ＧＰＰのＴＳ３６．１３３に規定される。
【００５５】
切替部１６ｄは、ＮＡＳ処理部１７の指示にしたがって、Selected  PLMNならびにEPLMNの切替を実行する処理部である。例えば、切替部１６ｄは、ＮＡＳ処理部１７によってHPLMNならびにEHPLMNをSelected  PLMNならびにEPLMNとして選択した場合に、選択されたHPLMNならびにEHPLMNに属するセル選択可能なセルとして切替える。
【００５６】
ＮＡＳ処理部１７は、選択部１７ａを有し、ＮＡＳプロトコルを用いた各種処理を実行する処理部である。具体的には、ＮＡＳ処理部１７は、３ＧＰＰのＴＳ２４．３０１などに規定された処理を実行する。一例を挙げると、ＮＡＳ処理部１７は、ネットワークアタッチ、認証、ベアラーのセットアップ、モビリティ管理などを実行する。
【００５７】
判定部１６ｂは、セルＡの無線品質値がＳ値より上回りＳ´値以下と判定された場合に、圏外制御部１６ｃによって圏外が確定される前にセルＡを切替対象に選択する処理部である。例えば、また、判定部１６ｂは、検出されたセルＡの無線品質値がタイマ（Ｔ４）の起動期間、在圏セルＢがＳ値を満たさない状態において、継続してＳ値を満たすと判定された場合に、セルＡを切替対象に選択する。また、判定部１６ｂは、検出されたセルＡの無線品質値がタイマ（Ｔ４）の起動期間、継続してＳ値を満たし、かつ、在圏セルＢよりも良い場合に、セルＡを切替対象に選択する。
【００５８】
このとき、判定部１６ｂは、共有セルであるセルＡに設置される基地局から受信した報知情報に、ＨＰＬＭＮまたはＥＨＰＬＭＮの情報が含まれている場合には、ＮＡＳ処理部の選択部１７ａへ通知する。選択部１７ａは、判定部１６ｂから通知された情報にＨＰＬＭＮまたはＥＨＰＬＭＮの情報が含まれている場合、含まれているＨＰＬＭＮまたはＥＨＰＬＭＮに接続を切替える指示を、切替部１６ｄに指示する。その後、選択部１７ａは、含まれているＨＰＬＭＮまたはＥＨＰＬＭＮに位置登録を行う。一方、選択部１７ａは、報知情報にＨＰＬＭＮまたはＥＨＰＬＭＮの情報が含まれていない場合には、ＶＰＬＭＮへの接続を維持する。
【００５９】
［処理の流れ］
図５〜図７は、携帯電話におけるセル選択処理の流れを示す処理シーケンス図である。図５に示すように、携帯電話１０のＲＲＣ処理部１６は、ＰＬＭＮを検索し（Ｓ１０１）、セルＢを検出する（Ｓ１０２）。
【００６０】
その後、ＶＰＬＭＮのみに属するセルＢの基地局Ｂ（eNodeB）から報知情報が送信され（Ｓ１０３とＳ１０４）、携帯電話１０のＲＲＣ処理部１６は、この報知情報を受信する（Ｓ１０５）。携帯電話１０のＲＲＣ処理部１６は、報知情報から、検索されたセルＢがＶＰＬＭＮのみに属するセルであることを特定し、ＶＰＬＭＮであることをＮＡＳ処理部１７に通知する（Ｓ１０６とＳ１０７）。
【００６１】
携帯電話１０のＮＡＳ処理部１７は、通知されたセルの情報からＶＰＬＭＮすなわちセルＢを選択し（Ｓ１０８）、選択結果をＲＲＣ処理部１６に通知する（Ｓ１０９とＳ１１０）。ＲＲＣ処理部１６は、セルＢを選択対象に適切なセルとして選択する（Ｓ１１１）。
【００６２】
一方で、セルＢの基地局Ｂから報知情報が送信され（Ｓ１１２とＳ１１３）、携帯電話１０のＲＲＣ処理部１６は、この報知情報を受信し、セルＢを選択している状態でセルＢの基地局から報知情報を受信したことで、セルＢへの在圏が成功したと判定する（Ｓ１１４）。このときの報知情報には上記タイマ値Ｔ４が含まれる。
【００６３】
その後、携帯電話１０のＲＲＣ処理部１６は、在圏成功をＮＡＳ処理部１７に通知する（Ｓ１１５とＳ１１６）。そして、携帯電話１０は、基地局Ｂとの間でアタッチ処理を実行し、ＶＰＬＭＮのネットワークに対して位置登録を行う（Ｓ１１７）。
【００６４】
続いて、図６に示すように、携帯電話１０のＮＡＳ処理部１７は、Higher  priority  PLMN  searchの開始指示をＲＲＣ処理部１６に送信し（Ｓ２０１とＳ２０２）、ＲＲＣ処理部１６は、Higher  priority  PLMN  searchを開始する（Ｓ２０３）。そして、ＲＲＣ処理部１６は、ＰＬＭＮを検索し（Ｓ２０４）、セルＡを検出する（Ｓ２０５）。
【００６５】
携帯電話１０のＲＲＣ処理部１６は、検出されたセルＡが条件１を満たすか否かを判定する（Ｓ２０６）。ここで、条件１とは、「Srxlev＝Qrxlevmeas−（Qrxlevmin＋Qrxlevminoffset）−Pcompensation＞0、かつ、Squal＝Qqualmeas−（Qqualmin＋Qqualminoffset）＞0」である。
【００６６】
携帯電話１０のＲＲＣ処理部１６は、条件１を満たす場合（Ｓ２０６：Ｙｅｓ）、処理１を実行する（Ｓ２０７）。すなわち、ＲＲＣ処理部１６は、３ＧＰＰに規定されたHigher  priority  PLMN  searchを継続する。具体的には、ＲＲＣ処理部１６は、Higher  priority  PLMN  search処理を継続し、セルＡから報知情報を取得しＰＬＭＮにＨＰＬＭＮまたはＥＨＰＬＭＮを検出したら、ＮＡＳ処理部１７へ通知する。その後、ＲＲＣ処理部１６は、ＮＡＳ処理部１７が選択したＰＬＭＮを切替対象とし、ＨＰＬＭＮまたはＥＨＰＬＭＮへの切替処理を実行する。
【００６７】
一方、ＲＲＣ処理部１６は、条件１を満たさない場合（Ｓ２０６：Ｎｏ）、条件２を満たすか否かを判定する（Ｓ２０８）。ここで、条件２とは、「検出したセルＡのＥＡＲＦＣＮがセルＢから取得した報知情報のセル再選択対象の周波数に含まれるか否か」である。なお、検出したセルＡのＥＡＲＦＣＮがセルＢから取得した報知情報のセル再選択対象の周波数に含まれる場合、条件２を満たすことになる。
【００６８】
そして、ＲＲＣ処理部１６は、条件２を満たさない場合（Ｓ２０８：Ｎｏ）、処理を終了する（Ｓ２０９）。一方、ＲＲＣ処理部１６は、条件２を満たす場合（Ｓ２０８：Ｙｅｓ）、Ｓ２１２以降を実行する。
【００６９】
すなわち、ＲＲＣ処理部１６は、ＨＰＬＭＮまたはＥＨＰＬＭＮと、ＶＰＬＭＮとに属するセルＡの基地局Ａから受信した報知情報の内容が条件３を満たすか否かを判定する（Ｓ２１０〜Ｓ２１３）。ここで、条件３とは、「セルＡの報知情報から取得したＰＬＭＮにＨＰＬＭＮまたはＥＨＰＬＭＮが含まれるか否か」である。なお、セルＡの報知情報から取得したＰＬＭＮにＨＰＬＭＮまたはＥＨＰＬＭＮが含まれる場合に、条件３を満たすとなる。
【００７０】
そして、ＲＲＣ処理部１６は、条件３を満たさない場合（Ｓ２１３：Ｎｏ）、処理を終了する（Ｓ２１４）。一方、ＲＲＣ処理部１６は、条件３を満たす場合（Ｓ２１３：Ｙｅｓ）、セルＡのＥＡＲＦＣＮと物理セルＩＤを保持する（Ｓ２１５）。
【００７１】
その後、図７に示すように、携帯電話１０のＲＲＣ処理部１６は、在圏セルＢの品質劣化を検出すると（Ｓ３０１）、条件４を満たすか否かを判定する（Ｓ３０２）。ここで、条件４とは、「Srxlev＝Qrxlevmeas−Qrxlevmin−Pcompensation＞0、かつ、Squal＝Qqualmeas−Qqualmin＞0、かつ、セル再選択用途の測定で検出しているセルのうち、セルＡの無線品質（RSRP）が最良」であるか否かである。上記全条件を満たす場合には、条件４を満たすとなる。
【００７２】
そして、携帯電話１０のＲＲＣ処理部１６は、条件４を満たさない場合（Ｓ３０２：Ｎｏ）、処理２を実行する（Ｓ３０３）。すなわち、ＲＲＣ処理部１６は、３ＧＰＰに規定された圏外判定処理を継続し、圏外判定中に、セルＡ以外に再選択可能なセルを検出した場合、そのセルを再選択する。
【００７３】
一方、携帯電話１０のＲＲＣ処理部１６は、条件４を満たす場合（Ｓ３０２：Ｙｅｓ）、Ｔｒｅｓｅｌｅｃｔｉｏｎを開始する（Ｓ３０４）。すなわち、ＲＲＣ処理部１６は、タイマを起動させ、タイマ値Ｔ４に到達するかを監視する。
【００７４】
タイマを起動させると、ＲＲＣ処理部１６は、条件５を満たすか否かを判定する（Ｓ３０５）。ここで、条件５とは、「「タイマ値Ｔ４が満了するまでの区間、セルＡの状態が上記条件を満たす」、かつ、セルＢが「Srxlev＝Qrxlevmeas−Qrxlevmin−Pcompensation≦0  または  Squal＝Qqualmeas−Qqualmin  ≦0」」であるか否かである。上記全条件を満たす場合には、条件５を満たすとなる。
【００７５】
そして、ＲＲＣ処理部１６は、条件５を満たさない場合（Ｓ３０５：Ｎｏ）、処理３を実行する（Ｓ３０６）。すなわち、ＲＲＣ処理部１６は、起動中のタイマを停止し、処理２と同様の処理を実行する。
【００７６】
一方、携帯電話１０のＲＲＣ処理部１６は、条件５を満たす場合（Ｓ３０５：Ｙｅｓ）、セルＡへの再選択を実行する（Ｓ３０７）。
【００７７】
具体的には、携帯電話１０のＲＲＣ処理部１６は、ＨＰＬＭＮまたはＥＨＰＬＭＮと、ＶＰＬＬＭＮとに属するセルＡの基地局Ａから報知情報を受信する（Ｓ３０８〜Ｓ３１０）。そして、ＲＲＣ処理部１６は、報知情報にＨＰＬＭＮまたはＥＨＰＬＭＮが含まれているか否かを判定する（Ｓ３１１）。そして、ＲＲＣ処理部１６は、報知情報にＨＰＬＭＮまたはＥＨＰＬＭＮが含まれていないと判定した場合（Ｓ３１１：Ｎｏ）、ｓｅｌｅｃｔｅｄ  ＰＬＭＮをＶＰＬＭＮに維持する（Ｓ３１２）。つまり、ＲＲＣ処理部１６は、ＶＰＬＭＮのみに属するセルＢへの在圏を維持する。
【００７８】
一方、ＲＲＣ処理部１６は、報知情報にＨＰＬＭＮまたはＥＨＰＬＭＮが含まれていると判定した場合（Ｓ３１１：Ｙｅｓ）、ＰＬＭＮ情報をＮＡＳ処理部１７に通知する（Ｓ３１３とＳ３１４）。このＰＬＭＮ情報には、ＨＰＬＭＮまたはＥＨＰＬＭＮが含まれていることになる。
【００７９】
携帯電話１０のＮＡＳ処理部１７は、通知されたＰＬＭＮ情報からＨＰＬＭＮまたはＥＨＰＬＭＮを選択し（Ｓ３１５）、選択結果をＲＲＣ処理部１６に通知する（Ｓ３１６とＳ３１７）。ここでの選択結果には、「ｓｅｌｅｃｔｅｄ  ＰＬＭＮ  ＝  ＨＰＬＭＮまたはＥＨＰＬＭＮ」が含まれる。
【００８０】
そして、ＲＲＣ処理部１６は、ｓｅｌｅｃｔｅｄ  ＰＬＭＮをＨＰＬＭＮまたはＥＨＰＬＭＮに切替える（Ｓ３１８）。つまり、ＲＲＣ処理部１６は、ＨＰＬＭＮまたはＥＨＰＬＭＮのみに属するセルＡへの切替を決定する。そして、携帯電話１０は、基地局Ａとの間でアタッチ処理を実行し、ＨＰＬＭＮまたはＥＨＰＬＭＮに対して位置登録を行う（Ｓ３１９）。
【００８１】
［具体例］
図８は、セル選択の具体例を説明する図である。図８に示すように、携帯電話１０が在圏するＶＰＬＭＮのセルＢは、時間経過とともに無線品質が劣化している状態である。一方で、携帯電話が在圏するセルＢに隣接するネットワークシェアリングセルＡの無線品質は、時間経過とともに向上している。このネットワークシェアリングセルＡは、ＨＰＬＭＮまたはＥＨＰＬＭＮとＶＰＬＭＮとが混在しているセルである。また、携帯電話１０は、ＶＰＬＭＮのセルＢに在圏していることから、周期Ｔ１でHigher  priority  PLMN  searchを実行して、ＨＰＬＭＮまたはＥＨＰＬＭＮのセルを検索する。
【００８２】
このような状態において、携帯電話１０は、最初の周期Ｔ１が開始されると、サーチ期間Ｐ１内でネットワークシェアリングセルＡを検出する。ところが、携帯電話１０は、在圏するセルＢの無線品質がＳ値を満たし、検出されたセルＡの無線品質がＳ´値を満たさないことから、切り替え対象外と判定する。このとき、携帯電話１０は、セルＡの周波数と、セルＡを識別する物理セルＩＤとを保持する。
【００８３】
その後、携帯電話１０は、次の周期Ｔ１が開始されると、サーチ期間Ｐ２内の時刻ｔ０でネットワークシェアリングセルＡを再び検出するが、セルＡの無線品質がＳ値を満たすが、Ｓ´値を満たさないことから、切り替え対象外と判定する。このとき、携帯電話１０は、セルＡの周波数と、セルＡを識別する物理セルＩＤとを保持する。
【００８４】
そして、携帯電話１０は、時刻ｔ０で、在圏セルＢの無線品質がＳ値を満たさなくなることを検出する。すると、携帯電話１０は、タイマＴ４を作動させる。タイマＴ４が完了すると、携帯電話１０は、保持する周波数と物理セルＩＤとからセルＡを特定し、セルＡの無線品質がＳ値を満たすか否かを判定する。つまり、携帯電話１０は、タイマＴ４後のセルＡの無線品質については、オフセットを考慮したＳ´値ではなく、Ｓ値で切替対象を判定する。すなわち、携帯電話１０は、Ｓ´値のオフセットを０にする。
【００８５】
そして、携帯電話１０は、セルＡの無線品質がＳ値を満たす場合、セルＡに対してセル切替を実行する。このようにすることで、携帯電話１０は、在圏セルＢより品質よいが、Ｓ´値を満たさないネットワークシェアリングセルＡを検出した場合、当該セルＡの情報を保持しておく。そして、携帯電話１０は、在圏セルＢの基地局から受信したタイマ値Ｔ４経過後、圏外が確定する前に、Ｓ値を満たすセルＡを切替対象に選択することができる。したがって、セルの切替えの時間を短縮でき、結果として圏外の時間も短縮できる。
【実施例２】
【００８６】
さて、これまで本発明の実施例について説明したが、本発明は上述した実施例以外にも、種々の異なる形態にて実施されてよいものである。そこで、以下に異なる実施例を説明する。
【００８７】
（端末）
実施例１では、携帯電話を例にして説明したが、これに限定されるものではなく、例えば、スマートフォンなどのような移動体端末についても同様に適用することができ、ＬＴＥを用いて無線通信を実行する端末であればよい。
【００８８】
（タイマ値）
実施例１では、携帯電話がタイマ値Ｔ４を基地局から受信する例について説明したが、これに限定されるものではない。例えば、携帯電話に予め記憶させておいてもよい。また、タイマ値Ｔ４は、３ＧＰＰで規定されたものだけではなく、任意に指定された値でもよい。ただし、在圏セルの無線品質値がＳ値以下になってから圏外が確定するまでの時間Ｔ２よりも短ければよい。
【００８９】
また、実施例１では、在圏セルの無線品質値がＳ値以下になってから検出されたセルＡの情報を保持し、タイマ値Ｔ４経過後に、当該セルＡの無線品質値ＳがＳ値より上回りかつ在圏セルの無線品質値より上回る場合に、セルＡを切替対象に選択する例を説明した。しかし、これに限定されるものではない。例えば、携帯電話が、タイマ値Ｔ４経過後に、当該セルＡの無線品質値ＳがＳ値を越えれば、セルＡを切替対象に選択してもよい。ただし、在圏セルの無線品質値も考慮することで、より品質のよいセル再選択を実行できる。
【００９０】
また、実施例１では、携帯電話が、在圏セルの無線品質値がＳ値以下になってから、ネットワークシェアリングセルが同じ周波数（EARFCN）配下の検出されたセルのうち最も品質がよい例を説明したが、これに限定されるものではない。例えば、品質のよいネットワークシェアリングセルが複数検出された場合には、任意のネットワークシェアリングセルを選択することもできる。
【００９１】
（システム）
また、本実施例において説明した各処理のうち、自動的におこなわれるものとして説明した処理の全部または一部を手動的におこなうこともできる。あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００９２】
また、図示した各装置の各構成要素は機能概念的なものであり、必ずしも物理的に図示の如く構成されていることを要しない。すなわち、各装置の分散や統合の具体的形態は図示のものに限られない。つまり、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００９３】
以上の各実施例を含む実施形態に関し、さらに以下の付記を開示する。
【００９４】
（付記１）ローミング先の公衆移動通信網に属する第１セルに在圏する状態で、契約先の公衆移動通信網または契約先と等価な公衆移動通信網に属する第２セルを検出する検出部と、
前記ローミング先および前記契約先によって運営され、前記ローミング先の公衆移動通信網と、前記契約先の公衆移動通信網または契約先と等価な公衆移動通信網とに属する共有セルが前記検出部によって検出された場合に、前記共有セルの無線品質値が、第１の所定値より上回り第２の所定値以下か否かを判定する判定部と、
在圏する第１セルの無線品質値が前記第１の所定値以下になってから所定時間経過した後に圏外を確定させる圏外制御部と、
前記判定部によって前記共有セルの無線品質値が第１の所定値より上回り第２の所定値以下と判定された場合に、前記圏外制御部によって圏外が確定される前に、前記共有セルを切替対象に選択する選択部と
を有することを特徴とする移動体装置。
【００９５】
（付記２）前記判定部は、前記圏外制御部が圏外を確定させる前記所定時間よりも短いタイマ値を前記第１セルに設置される基地局から受信し、前記圏外制御部によって圏外に遷移したことが検出されてから前記タイマ値を起動し、タイマ起動期間、前記第１セルの無線品質値が前記第１の所定値以下になっているか否か、また、前記共有セルの無線品質値が、前記第１の所定値より上回っているか否かをさらに継続的に判定し、
前記タイマ値経過後に、前記第１セルの無線品質値が前記第１の所定値以下になっており、前記共有セルの無線品質値が、前記第１の所定値より上回っていると判定された場合に、前記共有セルを切替対象に選択することを特徴とする付記１に記載の移動体装置。
【００９６】
（付記３）前記判定部は、前記タイマ起動期間、前記第１セルの無線品質値が前記第１の所定値より上回っていると判定された場合であっても、前記共有セルの無線品質値が、前記第１セルの無線品質値よりもよい値であるか否かをさらに継続的に判定し、
前記選択部は、前記判定部によって、前記タイマ値経過後の前記共有セルの無線品質値が前記第１セルの無線品質値よりもよい値であるとさらに判定された場合に、前記共有セルを切替対象に選択することを特徴とする付記２に記載の移動体装置。
【００９７】
（付記４）前記判定部は、前記共有セルが、前記検出部によって検出された同じ周波数（EARFCN）配下のセルのうち最も無線品質値の良いセルである場合に、前記共有セルの無線品質値が前記第１の所定値より上回り前記第２の所定値より以下か否かを判定することを特徴とする付記１から３のいずれか一つに記載の移動体装置。
【００９８】
（付記５）前記選択部によって選択された前記共有セルに設置される基地局から受信した報知情報に、前記契約先の公衆移動通信網または契約先と等価な公衆移動通信網の情報が含まれている場合には、含まれている前記契約先の公衆移動通信網または契約先と等価な公衆移動通信網に接続を切替え、含まれていない場合には、前記ローミング先の公衆移動通信網への接続を維持する切替部をさらに有することを特徴とする付記１から４のいずれか一つに記載の移動体装置。
【００９９】
（付記６）移動体装置が、
ローミング先の公衆移動通信網に属する第１セルに在圏する状態で、契約先の公衆移動通信網または契約先と等価な公衆移動通信網に属する第２セルを検出し、
前記ローミング先および前記契約先によって運営され、前記ローミング先の公衆移動通信網と、前記契約先の公衆移動通信網または契約先と等価な公衆移動通信網とに属する共有セルを検出した場合に、前記共有セルの無線品質値が、第１の所定値より上回り第２の所定値より以下か否かを判定し、
前記共有セルの無線品質値が第１の所定値より上回り第２の所定値以下と判定した場合に、在圏する第１セルの無線品質値が前記第１の所定値以下になってから所定時間経過した後に圏外を確定させる前に、前記共有セルを切替対象に選択する
各処理を含んだことを特徴とするセル選択方法。
【０１００】
（付記７）メモリと
前記メモリに接続されるプロセッサと、を有し、
前記プロセッサが、
ローミング先の公衆移動通信網に属する第１セルに在圏する状態で、契約先の公衆移動通信網または契約先と等価な公衆移動通信網に属する第２セルを検出し、
前記ローミング先および前記契約先によって運営され、前記ローミング先の公衆移動通信網と、前記契約先の公衆移動通信網または等価な公衆移動通信網とに属する共有セルを検出した場合に、前記共有セルの無線品質値が、第１の所定値より上回り第２の所定値以下か否かを判定し、
前記共有セルの無線品質値が第１の所定値より上回り第２の所定値以下と判定した場合に、在圏する第１セルの無線品質値が前記第１の所定値以下になってから所定時間経過した後に圏外を確定させる前に、前記共有セルを切替対象に選択する
各処理を実行することを特徴とする移動体装置。
【符号の説明】
【０１０１】
１０  携帯電話
１１  ＲＦ処理部
１２  ＢＢ処理部
１３  ＭＡＣ処理部
１４  ＲＬＣ処理部
１５  ＰＤＣＰ処理部
１６  ＲＲＣ処理部
１６ａ  検出部
１６ｂ  判定部
１６ｃ  圏外制御部
１６ｄ  切替部
１７  ＮＡＳ処理部
１７ａ  選択部
【図１】
2014017676.tif 000003
【図２】
2014017676.tif 000004
【図３】
2014017676.tif 000005
【図４】
2014017676.tif 000006
【図５】
2014017676.tif 000007
【図６】
2014017676.tif 000008
【図７】
2014017676.tif 000009
【図８】
2014017676.tif 000010
【図９】
2014017676.tif 000011